(57)【要約】【課題】高齢者などが自身の体を十分に安定した状態に支えながら扉を開閉して、物の出し入れを安全且つスムーズに行うことができるように構成された手摺付収納装置を提供する。【解決手段】内部の収納スペースが中仕切板２７で幅方向に２つに仕切られている収納体２０と、各収納スペースの開口前面を閉止可能とする扉４０とを有する収納装置１０であり、各扉は、中仕切板の前端部に蝶番３１を介して回転可能に連結されて収納体の側板２１，２２に対して開閉可能に設けられる。各側板の外面には、収納体の前方に突出する手摺取付パネル３３，３４が設けられ、その突出前端に手摺３７，３７が設けられる。高齢者や体の不自由な人であっても、一方の手４２で手摺を掴んで自身の体を安定した状態に支持しながら、他方の手で容易に扉を開閉することができる。【選択図】図７
2020153232.tif 000002
【特許請求の範囲】
【請求項１】
内部の収納スペースが中仕切板で幅方向に２つに仕切られている収納体と、該収納体の各収納スペースの開口前面を閉止可能とする扉とを有する収納装置において、各扉は、中仕切板を吊元として収納体の側板に対して開閉可能に設けられ、且つ、各側板の外面に、収納体の前方に突出する手摺取付パネルが設けられ、この手摺取付パネルの突出端に、開閉時の扉の軌跡に対して手摺の表面が２０ｍｍ以上離れるように収納体の高さ方向に延長する手摺が設けられることを特徴とする手摺付収納装置。
【請求項２】
扉は、収納スペースを閉止した状態において、その上縁の上方に手を入れる隙間を残すように設けられることを特徴とする、請求項１記載の手摺付収納装置。
【発明の詳細な説明】
【技術分野】
【０００１】
本発明は、高齢者施設や福祉施設の玄関収納などに好適に用いられる手摺付収納装置に関する。
【背景技術】
【０００２】
扉を有する収納装置に物を出し入れする際には、片手で扉を開けて物を出し入れするが、特に高齢者や体の不自由な人にとっては、片手で扉を開けるときに体を安定した状態に支えておくために、手摺が必要になる場合がある。特許文献１には、手摺付収納装置の一例が開示されている。すなわち、特許文献１では、左右側板の一方に蝶番を介して扉を開閉可能に設けた構成の玄関収納において、側板の前端部裏面側に鉤状の凹部を形成し（図２〜図４）、これを玄関での靴の脱ぎ履きや立ち上がりの際などに手摺として利用することができるようにしている（図６）。
【先行技術文献】
【特許文献】
【０００３】
【特許文献１】特開２００８−１４４４１４号公報
【発明の概要】
【発明が解決しようとする課題】
【０００４】
特許文献１記載の玄関収納では、特に住宅の玄関で人が行う様々な動作をスムーズに行うことを主目的として前記手摺が形成されており、高齢者などが収納装置に物を出し入れする際に自らの体を支えるために手摺を必要とすることについての配慮が不十分である。
【０００５】
たとえば、特許文献１記載の玄関収納において、手摺を側板の前端部裏面側に鉤状に形成していることは、正面からは手摺が見えず、すっきりした外観を与える上では効果的であり、また、個人の住宅では正面から見えなくても裏面側に手摺が存在することを十分に理解しているので、この点が不利に働くことはほとんど考えられないが、高齢者施設などでは、見えない箇所に手摺が存在することを認知できない認知症患者や、不特定の外来者が利用することを考えると、むしろ目に見えて分かりやすい箇所に手摺が存在する方が好都合である。
【０００６】
また、特許文献１の収納装置において扉を開閉して物を出し入れしようとするときに、側板裏面側に鉤状に形成された手摺は、使用者が体を安定した状態に支える上で有効に機能するとは言えない。すなわち、図３および図４において左側に示される側板（蝶番を介して扉を回転可能に支持している戸尻側の側板）の前端部裏面側に形成された鉤状の手摺に一方の手を添えて体を支持しながら、他方の手で扉を開けた場合は、開いた扉の裏側（収納スペースの反対側）に体が位置することになるので、収納スペースに対する物の出し入れを行うことができない。また、開いた扉の戸尻側木口との間に指を挟んだり、扉に体が接触するなどによって怪我をする恐れがある。したがって、収納スペースに対する物の出し入れを行うときは、図３および図４において右側に示される側板（戸先側の側板）の前端部裏面側に形成された鉤状の手摺に一方の手を添えて体を支持しながら、他方の手で扉を開けることになるが、図４に示すように鉤状凹部と扉表面との間に手を掛けてしまうと扉を開けることができない。鉤状凹部のみに指を掛ければ扉を開けることが可能であるが、これでは高齢者などが自分の体を十分に支えることができず、目的を十分に達成することができないだけでなく、扉を閉めるときに指を挟んで怪我をする恐れがある。
【０００７】
したがって、本発明が解決しようとする課題は、高齢者などが自身の体を十分に安定した状態に支えながら扉を開閉して、物の出し入れを安全且つスムーズに行うことができるように構成された手摺付収納装置を提供することである。
【課題を解決するための手段】
【０００８】
この課題を解決するため、本願の請求項１に係る発明は、内部の収納スペースが中仕切板で幅方向に２つに仕切られている収納体と、該収納体の各収納スペースの開口前面を閉止可能とする扉とを有する収納装置において、各扉は、中仕切板を吊元として収納体の側板に対して開閉可能に設けられ、且つ、各側板の外面に、収納体の前方に突出する手摺取付パネルが設けられ、この手摺取付パネルの突出端に、開閉時の扉の軌跡に対して手摺の表面が２０ｍｍ以上離れるように収納体の高さ方向に延長する手摺が設けられることを特徴とする手摺付収納装置である。
【０００９】
本願の請求項２に係る発明は、請求項１記載の手摺付収納装置において、扉は、収納スペースを閉止した状態において、その上縁の上方に手を入れる隙間を残すように設けられることを特徴とする。
【発明の効果】
【００１０】
請求項１に係る発明によれば、一方の手で手摺を掴んで自身の体を安定した状態に支持しながら扉を開ける操作を行うことができるので、高齢者や体の不自由な人であっても、転倒などの危険を生じることなく、収納体に対する物の出し入れを安全に行うことができる。
【００１１】
また、扉は中仕切板を吊元として回転可能に設けられるので、側板の外面に設けられる手摺を一方の手で掴みながら他方の手で扉を開けたときに、開放した収納スペースに対して自身の体が正対することになり、物の出し入れをスムーズに行うことができる。
【００１２】
また、手摺を手でしっかり掴んだときであっても、開閉時の扉の軌跡に干渉せず、扉の戸先端が手摺を掴んでいる手に当たって開閉に支障を来したり、手を傷付けることがない。
【００１３】
また、左右に隣接する収納スペースに対して同時にアクセスする場合であっても、各人の扉開閉操作を互いに干渉することなく行うことができる。
【００１４】
請求項２に係る発明によれば、一方の手で手摺を掴みながら扉を開けるときに、扉の上方に残されている隙間に他方の手を入れることができるので、高齢者や体の不自由な人であっても容易に扉を開けることができる。
【図面の簡単な説明】
【００１５】
【図１】本発明の一実施形態（実施例１）による収納装置の正面図である。
【図２】図１において扉を省略した状態の正面図である。
【図３】図１中Ａ−Ａ切断線による縦断面図である。
【図４】図１中Ｂ−Ｂ切断線による横断面図である。
【図５】この収納装置において左右に隣接する個別収納スペースの扉をいずれも半開した状態の部分正面図である。
【図６】この収納装置において左右に隣接する個別収納スペースの扉をいずれも全開した状態の平面図である。
【図７】この収納装置における扉開閉時の軌跡と手摺を掴んだ手との位置関係を平面視で示す説明図である。
【発明を実施するための最良の形態】
【００１６】
本発明について以下に実施例を挙げて詳細に説明する。
【実施例１】
【００１７】
本発明の一実施形態（実施例１）による収納装置１０について、図１ないし図７を参照して詳細に説明する。この収納装置１０は、高齢者施設の玄関収納として好適に用いられる。
【００１８】
収納装置１０は、内部に収納スペースを有する収納体２０と、収納スペースの開口前面を閉止可能とする扉（開き戸）４０とを有して構成される。この実施例では、収納体２０は、一対の側板２１，２２と、天板２３と、底板２４と、背板２５と、台輪２６とを有し、その内部の収納スペースを中仕切板２７で幅方向に２等分に仕切ると共に、中仕切板２７で仕切られた左右の収納スペースを各々固定棚２８で高さ方向に４等分に仕切ることにより、計８つの個別収納スペース２９を形成し、各個別収納スペース２９に各々専用の扉４０が設けられている。各扉４０は、各個別収納スペース２９の開口前面を実質的に閉止することができる形状および寸法に形成されるが、その上縁４０ａは、個別収納スペース２９の上方に位置する板（天板２３または固定棚２８）の下面に届かず、それらの間に手を入れることができる隙間４１を与えている。隙間４１は、扉４０の開閉の際の持ち手として働くので、別部材として取手を取り付ける必要がなく、また、収納スペース２９内に臭いがこもらないようにするための通気口としても働く。
【００１９】
各個別収納スペース２９は、側板２１，２２および中仕切板２７の各内面に高さ方向に所定間隔をおいて複数個穿設したダボ穴３２（図３）のうち任意のダボ穴３２にダボ（図示せず）を差し込むことにより設置可能な可動棚３０でさらに任意に高さ方向に仕切ることができる。符号３９は、天板２３、底板２４および固定棚２８に対する固定強度を増大させるために背板２５に設けられる補強桟である。
【００２０】
中仕切板２７で幅方向左右に収納スペースが区画された収納装置では、側板２１，２２に取り付けた蝶番を回転中心として観音開き方式で扉を設けるのが一般的であるが、この実施例では、中仕切板２７の前端両側に取り付けた蝶番３１（図３，図４）を回転中心として逆観音開き方式で各扉４０が設けられている（図５〜図７）。この点は、下記に説明する手摺の取付位置との関係で重要であり、詳しくは後述する。なお、蝶番３１には、扉４０の開閉時に回転軸が移動するスライド蝶番などが好適に用いられる。また、この実施例では、各扉４０は、その閉止時に、各個別収納スペース２９を幅方向に仕切る中仕切板２７および側板２０または２１の前端木口の少なくとも一部を覆うように設けられている（いわゆるアウトセット）。
【００２１】
収納体２０の側板２１，２２の各外面に、手摺取付パネル３３，３４が設けられている。手摺取付パネル３３，３４は収納体２０より前方に突出しており、この突出部３３ａ，３４ａの前端にブラケット３５，３６を介して手摺３７，３８が設けられている。手摺３７，３８は収納体２０の略全高さに亘って垂直に延長する丸棒状であり、手でしっかり掴める程度の径（たとえば３２ｍｍ）を有する。
【００２２】
上記のように構成された収納装置１０の作用ないし用法について説明する。収納体２０において中仕切板２７によって幅方向に仕切られた個別収納スペース２９のうち図１および図２において左側に位置するいずれかの個別収納スペース２９に対して物の出し入れを行うときは、側板２１に設けた手摺取付パネル突出部３３ａの前端にブラケット３５を介して取り付けた手摺３７を一方の手でしっかり掴んで自身の体を安定した状態に支持しながら、扉４０上方の隙間４１に他方の手を差し込んで、扉４０をスムーズに開けることができる。扉４０を閉めるときも、隙間４１があるので、天板２３との間に手を挟むことがない。同様に、図１および図２において右側に位置するいずれかの個別収納スペース２９に対して物の出し入れを行うときは、側板２２に設けた手摺取付パネル突出部３４ａの前端にブラケット３６を介して取り付けた手摺３８を一方の手でしっかり掴んで自身の体を安定した状態に支持しながら、扉４０上方の隙間４１に他方の手を差し込んで、扉４０をスムーズに開閉することができる。
【００２３】
手摺３７，３８は、収納体２０から前方に突出して設けられる手摺取付パネル３３，３４の突出部３３ａ，３４ａの前端にさらにブラケット３５，３６を介して取り付けられるので、収納体２０の側方において前方に十分に離れて位置している。したがって、これを手４２でしっかり掴んだときであっても、開閉時の扉４０の軌跡Ｒに干渉せず、扉４０の戸先端が手摺３７,３８を掴んでいる手４２に当たって開閉に支障を来したり、あるいは手４２を傷付けることがない（図７参照）。
【００２４】
より具体的な設計例として、手摺３７，３８が直径３５ｍｍの丸棒で形成される場合において、人の指（特に中指）の厚さは最大で１９．４ｍｍ程度であるから、扉４０開閉時の軌跡Ｒが最も近接する地点で、手摺３７,３８の中心から３６．９ｍｍ以上離れていれば、手摺３７，３８を掴んでいる手４２に当たらずに扉４０を開閉することができることになる。扉開閉時の軌跡Ｒは扉４０の幅によって変わるので、扉４０の幅を２００ｍｍ、２５０ｍｍ、３００ｍｍ、３５０ｍｍおよび４００ｍｍの５通りに変えて実施した結果、扉幅Ｗが２００ｍｍのときは扉前面から手摺中心までの距離Ｌを９０ｍｍ以上、Ｗ＝２５０ｍｍのときはＬ≧１０２ｍｍ、Ｗ＝３００ｍｍのときはＬ≧１０８ｍｍ、Ｗ＝３５０ｍｍのときはＬ≧１１４ｍｍ、Ｗ＝４００ｍｍのときはＬ≧１２０ｍｍとすれば、図７に示すように、手摺３７，３８を掴んでいる手４２に当たらずに扉４０を開閉することができることが実証された。また、手摺３７，３８の径や扉４０の幅にかかわらず、手摺３７，３８の表面から２０ｍｍ以上離れて軌跡Ｒが描かれるように手摺３７，３８を設けることが好ましい。
【００２５】
また、既述したように、各個別収納スペース２９の扉４０は、中仕切板２７の前端両側に取り付けた蝶番３１を介して開閉可能に設けられるので、左右に隣接する個別収納スペース２９に対しては逆観音開き方式で開閉し、全開させたときには収納体２０の前面に対して約９０度の角度を取ることになる。したがって、一方の手４２で手摺３７，３８を掴みながら他方の手で扉４０を開けたとき（図６）に、全開した個別収納スペース２９に対して自身の体が正対することになり、物の出し入れをスムーズに行うことができる。また、左右に隣接する２つの個別収納スペース２９に対して同時にアクセスしても、全開の扉４０，４０を挟んで各個別収納スペース２９に対して自身の体が正対することになるので、互いに干渉することなく各人が物の出し入れをスムーズに行うことができる。
【００２６】
以上に本発明について図示実施例に基づいて詳述したが、本発明は特許請求の範囲に記載される発明の範囲内において多種多様の変形ないし変更が可能である。
【符号の説明】
【００２７】
１０  収納装置
２０  収納体
２１，２２  側板
２３  天板
２４  底板
２５  背板
２６  台輪
２７  中仕切板
２８  固定棚
２９  収納スペース
３０  可動棚
３１  蝶番
３２  ダボ穴
３３，３４  手摺取付パネル
３５，３６  ブラケット
３７，３８  手摺
３９  補強桟
４０  扉
４１  隙間
４２  手摺を掴む手
【図１】
2020153232.tif 000003
【図２】
2020153232.tif 000004
【図３】
2020153232.tif 000005
【図４】
2020153232.tif 000006
【図５】
2020153232.tif 000007
【図６】
2020153232.tif 000008
【図７】
2020153232.tif 000009